(57)【要約】【課題】医用画像処理装置において、複数通りの画像種の組み合わせから任意の組み合わせを効率的に選択すること。【解決手段】本実施形態に係る医用画像処理装置は、記憶部から、複数の画像種に属する複数の医用画像と、前記複数の画像種に関する複数通りの組み合わせに対応する複数の位置合わせ精度とを取得する取得手段と、前記複数通りの組み合わせから、前記複数の位置合わせ精度のうち所定の位置合わせ精度に対応する所定の組み合わせを選択する選択手段と、を有する。【選択図】  図２
2018164533.tif 000002
【特許請求の範囲】
【請求項１】
記憶部から、複数の画像種に属する複数の医用画像と、前記複数の画像種に関する複数通りの組み合わせに対応する複数の位置合わせ精度とを取得する取得手段と、
前記複数通りの組み合わせから、前記複数の位置合わせ精度のうち所定の位置合わせ精度に対応する所定の組み合わせを選択する選択手段と、
を有する医用画像処理装置。
【請求項２】
前記複数の医用画像のうち、前記所定の組み合わせに対応する画像種の医用画像を抽出し、前記抽出した医用画像の位置合わせを行う位置合わせ手段を更に有する、
請求項１に記載の医用画像処理装置。
【請求項３】
前記位置合わせ手段は、前記位置合わせ後の医用画像と、前記複数の医用画像に含まれるその他の医用画像との位置合わせを行う、
請求項２に記載の医用画像処理装置。
【請求項４】
前記位置合わせ手段は、
異なるモダリティ種に属する医用画像を抽出し、
前記抽出した医用画像の位置合わせを行い、
前記位置合わせ後の医用画像と同一のモダリティ種に属する他の医用画像と、前記位置合わせ後の医用画像との位置合わせを行う、
請求項３に記載の医用画像処理装置。
【請求項５】
前記選択手段は、前記複数の位置合わせ精度を表示部に表示させ、入力部からの指示に応じて前記所定の組み合わせを選択する、
請求項１乃至４のうちいずれか一項に記載の医用画像処理装置。
【請求項６】
前記選択手段は、前記複数の位置合わせ精度のうち最大のものを前記所定の組み合わせとして選択する、
請求項１乃至４のうちいずれか一項に記載の医用画像処理装置。
【請求項７】
前記画像種は、少なくともモダリティ種を含む、
請求項１乃至６のうちいずれか一項に記載の医用画像処理装置。
【請求項８】
前記画像種は、前記モダリティ種及び撮像条件を含み、前記複数の医用画像は、異なるモダリティ種に属する複数の医用画像と、同一のモダリティ種で異なる撮像条件に属する複数の医用画像とを含む、
請求項７に記載の医用画像処理装置。
【請求項９】
前記撮像条件は、前記モダリティ種と、前記撮像条件としての撮像プロトコル及びＸ線条件とを含み、前記複数の医用画像は、同一のモダリティ種かつ同一の撮像プロトコルで異なるＸ線条件に属する複数の医用画像を含む、
請求項８に記載の医用画像処理装置。
【請求項１０】
前記記憶部は、前記画像種の組み合わせと前記位置合わせ精度とを対応付けた対応表を予め記憶する、
請求項１乃至９のうちいずれか一項に記載の医用画像処理装置。
【請求項１１】
前記取得手段は、前記記憶部に記憶された前記対応表の位置合わせ精度を更新する、
請求項１０に記載の医用画像処理装置。
【請求項１２】
前記記憶部は、前記対応表として、患者の属性に応じた複数の対応表を予め記憶する、
請求項１０又は１１に記載の医用画像処理装置。
【請求項１３】
制御部及び記憶部を備えた装置を用いた医用画像処理方法であって、
前記制御部は、
前記記憶部から、複数の画像種に属する複数の医用画像と、前記複数の画像種に関する複数通りの組み合わせに対応する複数の位置合わせ精度とを取得し、
前記複数通りの組み合わせから、前記複数の位置合わせ精度のうち所定の位置合わせ精度に対応する所定の組み合わせを選択する、
医用画像処理方法。
【請求項１４】
コンピュータに、
記憶部から、複数の画像種に属する複数の医用画像と、前記複数の画像種に関する複数通りの組み合わせに対応する複数の位置合わせ精度とを取得する機能と、
前記複数通りの組み合わせから、前記複数の位置合わせ精度のうち所定の位置合わせ精度に対応する所定の組み合わせを選択する機能と、
を実現させる医用画像処理プログラム。
【発明の詳細な説明】
【技術分野】
【０００１】
本発明の実施形態は、医用画像処理装置、医用画像処理方法、及び医用画像処理プログラムに関する。
【背景技術】
【０００２】
医用画像処理装置は、ＣＴ（Computed Tomography）及びＭＲ（Magnetic Resonance）等のモダリティ種で生成された医用画像を適切に画像処理して表示することができる。医用画像処理装置は、読影者により複数の医用画像が比較読影される際、単一のモダリティ種で複数の撮像条件（例えば、非造影及び造影等）でそれぞれ取得された複数の医用画像を表示する場合がある。その場合、医用画像処理装置は、ＤＩＣＯＭ（Digital Imaging and Communication in Medicine）情報に含まれる座標情報を用いて、複数の医用画像の位置合わせを行うことができる。単一のモダリティ種で生成される複数の医用画像は、一般的には同一検査（スタディ）で生成されるので、天板上の患者の位置がほぼ同じものと考えることができるからである。
【０００３】
また、ＤＩＣＯＭ情報に含まれる座標情報を用いて単純に医用画像の位置合わせを行うことができない場合がある。その場合とは、例えば、複数のモダリティ種でそれぞれ取得された複数の医用画像を表示する場合である。医用画像処理装置は、複数のモダリティ種でそれぞれ取得された複数の医用画像、例えば、ＣＴ画像及びＭＲ画像を表示する場合、画像解析を行い解剖学的に同じ位置を特定する等により、ＣＴ画像とＭＲ画像との位置合わせを行う。ＣＴ画像とＭＲ画像とは、一般的には異なる検査で生成されるので、患者の体位や、Ｈｅａｄ＿Ｆｉｒｓｔ及びＦｏｏｔ＿Ｆｉｒｓｔのうちどちらが採用されているか等の事情により天板上の患者の位置が異なるからである。
【０００４】
ここで、複数のモダリティ種に関するものであり、各モダリティ種が複数の撮像条件でそれぞれ取得された複数の医用画像を、医用画像処理装置が表示する場合について考える。具体的には、モダリティ種「ＣＴ」の撮像条件「非造影」及び「造影」でそれぞれ取得されたＣＴ・非造影画像及びＣＴ・造影画像と、モダリティ種「ＭＲ」の撮像条件「Ｔ１」及び「Ｔ２」でそれぞれ取得されたＭＲ・Ｔ１画像及びＭＲ・Ｔ２画像とを、医用画像処理装置が表示する場合である。その場合、医用画像処理装置は、前述したようにＤＩＣＯＭ情報に含まれる座標情報を用いて、ＣＴ・非造影画像及びＣＴ・造影画像の位置合わせや、ＭＲ・Ｔ１画像及びＭＲ・Ｔ２画像の位置合わせをそれぞれ行うことができる。
【０００５】
しかし、複数のモダリティ種間の位置合わせは上述したように画像解析よって行われるが、位置合わせの対象が、ＣＴ・非造影画像及びＭＲ・Ｔ１画像の組み合わせと、ＣＴ・非造影画像及びＭＲ・Ｔ２画像の組み合わせと、ＣＴ・造影画像及びＭＲ・Ｔ１画像の組み合わせと、ＣＴ・造影画像及びＭＲ・Ｔ２画像の組み合わせと、の４通り考えられる。従って、医用画像処理装置は、その中から適切な組み合わせを位置合わせの対象として選択しなければならない。
【０００６】
以上のように、複数のモダリティ種間の位置合わせは画像解析によって行われるので、どの組み合わせが位置合わせの対象として選択されるかによって位置合わせ精度が変わってくることになる。
【先行技術文献】
【特許文献】
【０００７】
【特許文献１】特開２０１０−０６３５１４号公報
【発明の概要】
【発明が解決しようとする課題】
【０００８】
本発明が解決しようとする課題は、複数通りの画像種の組み合わせから任意の組み合わせを効率的に選択できる医用画像処理装置、医用画像処理方法、及び医用画像処理プログラムを提供することである。
【課題を解決するための手段】
【０００９】
本実施形態に係る医用画像処理装置は、記憶部から、複数の画像種に属する複数の医用画像と、前記複数の画像種に関する複数通りの組み合わせに対応する複数の位置合わせ精度とを取得する取得手段と、前記複数通りの組み合わせから、前記複数の位置合わせ精度のうち所定の位置合わせ精度に対応する所定の組み合わせを選択する選択手段と、を有する。
【図面の簡単な説明】
【００１０】
【図１】本実施形態に係る医用画像処理装置の構成例を示す概略図。
【図２】本実施形態に係る医用画像処理装置の機能を示すブロック図。
【図３】本実施形態に係る医用画像処理装置の動作をフローチャートとして示す図。
【図４】本実施形態に係る医用画像処理装置において、記憶回路が予め記憶する対応表の一例を示す図。
【図５】（Ａ）は、本実施形態に係る医用画像処理装置において、ｍ個の画像種に属するｍ個の医用画像の例を示す図、（Ｂ）は、本実施形態に係る医用画像処理装置において、ｍ個の画像種に属するｍ個の医用画像セットの例を示す図。
【図６】本実施形態に係る医用画像処理装置において、ｎ通りの画像種の組み合わせから抽出されるｒ通りの組み合わせを説明するための概念図。
【図７】本実施形態に係る医用画像処理装置において、図４の対応表から取得されたｒ通りの画像種の組み合わせと、対応するｒ個の位置合わせ精度とを表として示す図。
【図８】（Ａ），（Ｂ）は、本実施形態に係る医用画像処理装置において、図３のステップＳＴ７，ＳＴ８の位置合わせを説明するための概念図。
【図９】本実施形態に係る医用画像処理装置において、比較読影を行う際の２個の医用画像の表示例を示す図。
【図１０】本実施形態に係る医用画像処理装置において、比較読影を行う際の２個の医用画像の表示例を示す図。
【図１１】本実施形態に係る医用画像処理装置において、図４に示す対応表の第１変形例を示す図。
【図１２】本実施形態に係る医用画像処理装置において、図４に示す対応表の第２変形例を示す図。
【図１３】本実施形態に係る医用画像処理装置において、図４に示す対応表の第３変形例を示す図。
【図１４】本実施形態に係る医用画像処理装置において、図４に示す対応表の第４変形例を示す図。
【発明を実施するための形態】
【００１１】
本実施形態に係る医用画像処理装置、医用画像処理方法、及び医用画像処理プログラムについて、添付図面を参照して説明する。
【００１２】
図１は、本実施形態に係る医用画像処理装置の構成例を示す概略図である。
【００１３】
図１は、本実施形態に係る医用画像処理装置１を示す。医用画像処理装置１は、医用画像管理装置（画像サーバ）や、ワークステーションや、読影端末等であり、ネットワークを介して接続された医用画像システム上に設けられる。なお、医用画像処理装置１は、オフラインの装置であっても良い。
【００１４】
医用画像処理装置１は、制御部（例えば、処理回路）１１、記憶部（例えば、記憶回路）１２、入力部（例えば、入力回路）１３、表示部（例えば、ディスプレイ）１４、及び通信部（例えば、通信制御回路）１５を備える。
【００１５】
処理回路１１は、専用又は汎用のＣＰＵ（Central Processing Unit）又はＭＰＵ（Micro Processor Unit）の他、特定用途向け集積回路（ＡＳＩＣ：Application Specific Integrated Circuit）、及び、プログラマブル論理デバイス等の処理回路を意味する。プログラマブル論理デバイスとしては、例えば、単純プログラマブル論理デバイス（ＳＰＬＤ：Simple Programmable Logic Device）、複合プログラマブル論理デバイス（ＣＰＬＤ：Complex Programmable Logic Device）、及び、フィールドプログラマブルゲートアレイ（ＦＰＧＡ：Field Programmable Gate Array）等の回路が挙げられる。処理回路１１は、記憶回路１２に記憶された、又は、処理回路１１内に直接組み込まれたプログラムを読み出し実行することで後述する機能を実現する。
【００１６】
また、処理回路１１は、単一の処理回路によって構成されても良いし、複数の独立した処理回路の組み合わせによって構成されても良い。後者の場合、複数の記憶回路１２が複数の処理回路の機能に対応するプログラムをそれぞれ記憶するものであっても良いし、１個の記憶回路１２が複数の処理回路の機能に対応するプログラムを記憶するものであっても良い。
【００１７】
記憶回路１２は、ＲＡＭ（Random Access Memory）、フラッシュメモリ（Flash Memory）等の半導体メモリ素子、ハードディスク、及び光ディスク等によって構成される。記憶回路１２は、ＵＳＢ（Universal Serial Bus）メモリ及びＤＶＤ（Digital Video Disk）等の可搬型メディアによって構成されても良い。記憶回路１２は、処理回路１１において用いられる各種処理プログラム（アプリケーションプログラムの他、ＯＳ（Operating System）等も含まれる）や、プログラムの実行に必要なデータや、画像データを記憶する。また、ＯＳに、読影者等の操作者に対するディスプレイ１４への情報の表示にグラフィックを多用し、基礎的な操作を入力回路１３によって行うことができるＧＵＩ（Graphical User Interface）を含めることもできる。
【００１８】
また、記憶回路１２は、ＤＩＣＯＭ情報が付帯された各医用画像と、画像種の組み合わせと位置合わせ精度との関係を示す対応表（図４に図示）とを記憶する。
【００１９】
入力回路１３は、操作者によって操作が可能な入力デバイスからの信号を入力する回路であり、ここでは、入力デバイス自体も入力回路１３に含まれるものとする。入力デバイスは、ポインティングデバイス（例えばマウス）、キーボード、及び各種ボタン等を含む。操作者により入力デバイスが操作されると、入力回路１３はその操作に応じた入力信号を生成して処理回路１１に出力する。なお、医用画像処理装置１は、入力デバイスがディスプレイ１４と一体に構成されたタッチパネルを備えても良い。
【００２０】
ディスプレイ１４は、液晶ディスプレイパネル、プラズマディスプレイパネル、及び有機ＥＬ（Electro Luminescence）パネル等の表示デバイスである。ディスプレイ１４は、処理回路１１の制御に従って生成された断層画像や、影響度に関する情報が重畳された画像を表示する。
【００２１】
通信制御回路１５は、パラレル接続仕様やシリアル接続仕様に合わせたコネクタによって構成される。通信制御回路１５は、各規格に応じた通信制御を行い、電話回線を通じてネットワークに接続することができる機能を有しており、これにより、医用画像処理装置１をネットワークに接続させることができる。
【００２２】
図２は、医用画像処理装置１の機能を示すブロック図である。
【００２３】
処理回路１１がプログラムを実行することによって、医用画像処理装置１は、取得手段（例えば、取得機能）１１Ａ、選択手段（例えば、選択機能）１１Ｂ、及び位置合わせ手段（例えば、位置合わせ機能）１１Ｃとして機能する。なお、機能１１Ａ〜１１Ｃの全部又は一部は、医用画像処理装置１にＡＳＩＣ等のハードウェアとして備えられるものであっても良い。
【００２４】
取得機能１１Ａは、記憶回路１２から、ｍ（ｍ＝２，３，…）個の画像種に属するｍ個の医用画像を取得する機能を含む。その他の例として、取得機能１１Ａは、通信制御回路１５を介して、医用画像処理装置１の外部の記憶回路（図示省略）からｍ個の医用画像を取得してもよい。画像種は、ＤＩＣＯＭ情報によって医用画像を分類可能なパラメータであるモダリティ種（スタディ種）を少なくとも含む。好適には、画像種は、モダリティ種の他、ＤＩＣＯＭ情報によって医用画像を分類可能なパラメータである撮像条件（シリーズ種）を含む。つまり、ｍ個の画像種に属するｍ個の医用画像は、（１）異なるモダリティ種に属するｍ個の医用画像（例えば、ＣＴ画像及びＭＲ画像）である場合や、（２）同一のモダリティ種で異なる撮像条件に属するｍ個の医用画像（例えば、ＣＴ・非造影画像及びＣＴ・造影画像）である場合や、（３）それらの組み合わせであるｍ個の医用画像である場合等がある。以下、上記（３）の場合について説明する。
【００２５】
なお、画像種は、モダリティ種及び撮像条件の他、ＤＩＣＯＭ情報によって医用画像を分類可能なパラメータを追加することができる。例えば、画像種は、ＤＩＣＯＭ情報によって医用画像を分類可能なパラメータである撮像部位及び撮像日時等の情報を含むことができる。
【００２６】
また、取得機能１１Ａは、記憶回路１２から、ｍ個の画像種に関するｎ通りの組み合わせにそれぞれ対応するｎ個の位置合わせ精度を取得する機能を含む。その他の例として、取得機能１１Ａは、通信制御回路１５を介して、医用画像処理装置１の外部の記憶回路（図示省略）からｎ個の位置合わせ精度を取得してもよい。ここで、ｎは、ｍＣ２によって表される。
【００２７】
選択機能１１Ｂは、取得機能１１Ａによって取得されたｎ通りの画像種の組み合わせから、取得機能１１Ａによって取得されたｎ個の位置合わせ精度のうち所定の位置合わせ精度に対応する所定の組み合わせを選択する機能を含む。
【００２８】
例えば、選択機能１１Ｂは、取得機能１１Ａによって取得されたｎ個の位置合わせ精度と、それらｎ個の位置合わせ精度にそれぞれ対応するｎ通りの組み合わせとを対応付けてディスプレイ１４に表示させ、操作者の操作により入力回路１３から入力された指示に従って、所定の位置合わせ精度に対応する所定の組み合わせを選択する。その他の例として、選択機能１１Ｂは、通信制御回路１５を介してｎ個の位置合わせ精度とｎ通りの組み合わせとを対応付けて医用画像処理装置１の外部のディスプレイ（図示省略）に表示させ、操作者の操作により医用画像処理装置１の外部の入力回路（図示省略）から通信制御回路１５を介して入力された指示に従って、所定の位置合わせ精度に対応する所定の組み合わせを選択する。又は、選択機能１１Ｂは、取得機能１１Ａによって取得されたｎ個の位置合わせ精度の中から最大の位置合わせ精度を選択し、最大の位置合わせ精度に対応する組み合わせを所定の組み合わせとして選択する。
【００２９】
位置合わせ機能１１Ｃは、取得機能１１Ａによって取得された複数の医用画像のうち、選択機能１１Ｂによって選択された所定の組み合わせに対応する２個の画像種に属する２個の医用画像を抽出する機能を含む。位置合わせ機能１１Ｃは、抽出した２個の医用画像の位置合わせを行う機能を含む。
【００３０】
なお、機能１１Ａ〜１１Ｃの具体的な動作については、図３〜図１０を用いて後述する。
【００３１】
図３は、医用画像処理装置１の動作をフローチャートとして示す図である。
【００３２】
まず、医用画像処理装置１の記憶回路１２は、画像種の組み合わせと位置合わせ精度との関係を示す対応表を予め記憶する。
【００３３】
図４は、医用画像処理装置１において、記憶回路１２が予め記憶する対応表の一例を示す図である。
【００３４】
図４は、５個の画像種に関する１０通りの組み合わせのうち、６通りの組み合わせを示す。つまり、図４では、同一モダリティ種間の組み合わせについては省略されている。また、図４は、６通りの組み合わせにそれぞれ対応する位置合わせ精度（例えば、１００点中のスコア）を示す。ここで、位置合わせ精度は、予め、画像解析により画像種が異なる複数の医用画像に関する位置合わせが行われ、位置合わせ後の２個の医用画像を比較することで、操作者により定量化されたものである。
【００３５】
また、図４に示すように、画像種「ＣＴ・造影」と、画像種「ＭＲ・Ｔ１」との組み合わせには、位置合わせ精度「１００」が対応付けられる。ここで、撮像条件「Ｔ１」とは、組織間の縦緩和時間（Ｔ１）の違いを強調したコントラストをもつ画像を収集するための撮像条件である。また、画像種「ＣＴ・非造影」と、画像種「ＭＲ・Ｔ２」との組み合わせには、位置合わせ精度「９０」が対応付けられる。ここで、撮像条件「Ｔ２」とは、組織間の横緩和時間（Ｔ２）の違いを強調したコントラストをもつ画像を収集するための撮像条件である。また、画像種「ＣＴ・造影」と、画像種「ＭＲ・ＤＷＩ（Diffusion Weighted Image）」との組み合わせには、位置合わせ精度「８０」が対応付けられる。ここで、撮像条件「ＤＷＩ」とは、拡散効果を強調した画像を収集するための撮像条件である。その他の組み合わせと位置合わせ精度との関係は図示するとおりである。
【００３６】
なお、各組み合わせに対応する位置合わせ精度は、病院等の医療機関ごとに設定されていても良いし、操作者ごとに設定されていても良い。
【００３７】
図３の説明に戻って、取得機能１１Ａは、読影者等の操作者により複数の医用画像が比較読影される際、記憶回路１２に予め記憶されている所定の患者に関し、ｍ個の画像種に属するｍ個の医用画像を取得する（ステップＳＴ１）。取得機能１１Ａは、ＤＩＣＯＭ情報に含まれる情報である所定の患者に係る患者ＩＤ（Identification）の他、ＤＩＣＯＭ情報に含まれる情報であるモダリティ種、撮像条件、撮像部位、及び撮像日時等により、医用画像の検索範囲を限定することができる。
【００３８】
図５（Ａ）は、医用画像処理装置１において、ｍ個の画像種に属するｍ個の医用画像の例を示す図である。
【００３９】
図５（Ａ）は、所定の患者Ａに関する４（ｍ＝４）個の画像種に属する４（ｍ＝４）個の医用画像を示す。４個の医用画像は、モダリティ種「ＣＴ」に相当する２個のＣＴ画像と、モダリティ種「ＭＲ」に相当する２個のＭＲ画像とを含む。
【００４０】
また、２個のＣＴ画像は、モダリティ種「ＣＴ」かつ撮像条件「非造影」である画像種「ＣＴ・非造影」によって取得されたＣＴ・非造影画像と、モダリティ種「ＣＴ」かつ撮像条件「造影」である画像種「ＣＴ・造影」によって取得されたＣＴ・造影画像とを含む。２個のＭＲ画像は、モダリティ種「ＭＲ」かつ撮像条件「Ｔ１」である画像種「ＭＲ・Ｔ１」によって取得されたＭＲ・Ｔ１画像と、モダリティ種「ＭＲ」かつ撮像条件「ＤＷＩ」である画像種「ＭＲ・ＤＷＩ」によって取得されたＭＲ・ＤＷＩ画像を含む。なお、ここでは、ＣＴ画像及びＭＲ画像について説明するが、その場合に限定されるものではない。例えば、超音波装置で生成される超音波画像や、ＰＥＴ（Positron Emission Tomography）等の核医学装置で生成される核医学画像等であっても良い。
【００４１】
なお、各画像種に属する医用画像は、図５（Ａ）に示すように１個の場合に限定されるものではない。言い換えれば、画像種「ＣＴ・非造影」に１個のＣＴ・非造影画像が存在し、画像種「ＣＴ・造影」に１個のＣＴ・造影画像が存在し、画像種「ＭＲ・Ｔ１」に１個のＭＲ・Ｔ１画像が存在し、画像種「ＭＲ・ＤＷＩ」に１個のＭＲ・ＤＷＩ画像が存在する場合に限定されるものではない。複数の画像種の少なくとも１個の画像種に複数の医用画像が存在する場合であってもよい。その一例である図５（Ｂ）は、医用画像処理装置１において、ｍ個の画像種に属するｍ個の医用画像セットの例を示す図である。
【００４２】
図５（Ｂ）は、所定の患者Ａに関する４（ｍ＝４）個の画像種に属する４（ｍ＝４）個の医用画像セットを示す。各医用画像セットは、複数の医用画像を複数のスライス画像として含む。以下、特に言及しない限り、図５（Ａ）の場合について説明する。
【００４３】
図３の説明に戻って、取得機能１１Ａは、ステップＳＴ１によって取得されたｍ個の画像種に関するｎ通りの組み合わせを取得する（ステップＳＴ２）。ここで、ｎは、ｍＣ２によって表される。取得機能１１Ａは、ステップＳＴ２によって取得されたｎ通りの画像種の組み合わせから、ｒ（ｒ≦ｎ）通りの組み合わせを抽出する（ステップＳＴ３）。ｒは、同一のモダリティ種に関する画像種の組み合わせを除外する場合に定められる。
【００４４】
図６は、医用画像処理装置１において、ｎ通りの画像種の組み合わせから抽出されるｒ通りの組み合わせを説明するための概念図である。
【００４５】
図６は、４（ｍ＝４）個の画像種に関する６（ｎ＝６）通りの組み合わせを示す。また、同一のモダリティ種に関する画像種の組み合わせを除外するために、６通りの画像種の組み合わせから４（ｒ＝４）通りの組み合わせが抽出されている。なお、図４に示す対応表が同一のモダリティ種の組み合わせを含むものであれば、ｒ＝ｎの場合であっても良いことは言うまでもない。
【００４６】
図３の説明に戻って、取得機能１１Ａは、記憶回路１２に予め記憶されている対応表（図４に図示）から、ステップＳＴ３によって抽出されたｒ通りの画像種の組み合わせにそれぞれ対応するｒ個の位置合わせ精度を取得する（ステップＳＴ４）。
【００４７】
図７は、医用画像処理装置１において、図４の対応表から取得されたｒ通りの画像種の組み合わせと、対応するｒ個の位置合わせ精度とを表として示す図である。
【００４８】
図７は、所定の患者に関して図４に示す対応表から取得された４（ｒ＝４）通りの画像種の組み合わせを示す。図７は、画像種「ＣＴ・造影」及び画像種「ＭＲ・Ｔ１」の組み合わせと、画像種「ＣＴ・造影」及び画像種「ＭＲ・ＤＷＩ」の組み合わせと、画像種「ＣＴ・非造影」及び画像種「ＭＲ・Ｔ１」の組み合わせと、画像種「ＣＴ・非造影」及び画像種「ＭＲ・ＤＷＩ」の組み合わせと、を示す。
【００４９】
また、図７は、図４に示す対応表ののうち、モダリティ種「ＣＴ」及び「ＭＲ」間の４通りの組み合わせにそれぞれ対応する４個の位置合わせ精度を示す。具体的には、図７は、画像種「ＣＴ・造影」及び画像種「ＭＲ・Ｔ１」の組み合わせに対応する位置合わせ精度「１００」と、画像種「ＣＴ・造影」及び画像種「ＭＲ・ＤＷＩ」の組み合わせに対応する位置合わせ精度「８０」と、画像種「ＣＴ・非造影」及び画像種「ＭＲ・Ｔ１」の組み合わせに対応する位置合わせ精度「７０」と、画像種「ＣＴ・非造影」及び画像種「ＭＲ・ＤＷＩ」の組み合わせに対応する位置合わせ精度「５０」と、を示す。
【００５０】
図３の説明に戻って、選択機能１１Ｂは、ステップＳＴ３によって抽出されたｒ通りの画像種の組み合わせから、ステップＳＴ４によって取得されたｒ個の位置合わせ精度のうち所定の位置合わせ精度に対応する所定の組み合わせを選択する（ステップＳＴ５）。
【００５１】
例えば、選択機能１１Ｂは、ステップＳＴ５において、図７に示す表をディスプレイ１４に表示させ、操作者の操作により入力回路１３から入力された指示に従って、所定の位置合わせ精度に対応する所定の組み合わせを選択する。又は、選択機能１１Ｂは、図７に示す表の中から最大の位置合わせ精度を選択し、最大の位置合わせ精度に対応する画像種の組み合わせを所定の組み合わせとして選択する。
【００５２】
位置合わせ機能１１Ｃは、ステップＳＴ１によって取得されたｍ個の医用画像のうち、ステップＳＴ５によって選択された所定の組み合わせに対応する２個の医用画像を位置合わせ対象として抽出する（ステップＳＴ６）。位置合わせ機能１１Ｃは、画像解析を行い解剖学的に同じ位置を特定する等により、ステップＳＴ６によって抽出された２個の医用画像の位置合わせを行う（ステップＳＴ７）。異なる検査で生成された２個の医用画像は、ＤＩＣＯＭ情報に含まれる座標情報を用いて単純に医用画像の位置合わせを行うことができないからである。
【００５３】
位置合わせ機能１１Ｃは、ＤＩＣＯＭ情報に含まれる座標情報を用いて、ステップＳＴ６によって抽出された各医用画像と同一のモダリティ種に係る医用画像と、ステップＳＴ６によって抽出された各医用画像との位置合わせを行う（ステップＳＴ８）。同一モダリティ種で生成された医用画像同士は、同一検査で生成されているからである。
【００５４】
図８（Ａ），（Ｂ）は、医用画像処理装置１において、図３のステップＳＴ７，ＳＴ８の位置合わせを説明するための概念図である。なお、図８（Ａ）は、図５（Ａ）に基づくものであり、図８（Ｂ）は、図５（Ｂ）に基づくものである。
【００５５】
図７に基づき、最大の位置合わせ精度である画像種「ＣＴ・造影」及び画像種「ＭＲ・Ｔ１」の組み合わせが選択されたものとする。その場合、位置合わせ機能１１Ｃは、図８（Ａ）に示すように、画像種「ＣＴ・造影」に対応するＣＴ・造影画像と、画像種「ＭＲ・Ｔ１」に対応するＭＲ・Ｔ１画像とで位置合わせを行う（図３に示すステップＳＴ７）。
【００５６】
また、位置合わせ機能１１Ｃは、図８（Ａ）に示すように、位置合わせ後のＣＴ・造影画像と、画像種「ＣＴ・非造影」に対応するＣＴ・非造影画像とで位置合わせを行う（図３に示すステップＳＴ８）。さらに、位置合わせ機能１１Ｃは、図８（Ａ）に示すように、位置合わせ後のＭＲ・Ｔ１画像と、画像種「ＭＲ・ＤＷＩ」に対応するＭＲ・ＤＷＩ画像とで位置合わせを行う（図３に示すステップＳＴ８）。
【００５７】
なお、図５（Ａ）ではなく図５（Ｂ）が採用される場合、即ち、画像種「ＣＴ・造影」に複数のＣＴ・造影画像が存在し、画像種「ＭＲ・Ｔ１」に複数のＭＲ・Ｔ１画像が存在する場合、位置合わせ機能１１Ｃは、図８（Ｂ）に示すように、複数のＣＴ・造影画像の中から選択された画像と、図８（Ｂ）に示すように、複数のＭＲ・Ｔ１画像との間で位置合わせを行う（図３に示すステップＳＴ７）。つまり、位置合わせ機能１１Ｃは、複数のＣＴ・造影画像の中から選択された画像が、複数のＭＲ・Ｔ１画像の中のいずれとマッチするかの判断を画像解析により行う。その結果、位置合わせ機能１１Ｃは、複数のＣＴ・造影画像と、複数のＭＲ・Ｔ１画像との位置合わせを行うことができる。
【００５８】
又は、図５（Ｂ）が採用される場合の位置合わせ機能１１Ｃは、図８（Ｂ）に示す複数のＣＴ・造影画像の中から選択された画像と、図８（Ｂ）に示す複数のＭＲ・Ｔ１画像に基づくボリュームデータ（以下、「ＭＲ・Ｔ１ボリュームデータ」という。）から生成され、選択画像とほぼ平行断面の複数のＭＰＲ（Multi-Planar Reconstruction）画像との間で位置合わせを行う（図３に示すステップＳＴ７）。つまり、位置合わせ機能１１Ｃは、複数のＣＴ・造影画像の中から選択された画像が、複数のＭＰＲ画像のいずれとマッチするかの判断を画像解析により行う。その結果、複数のＣＴ・造影画像は、ＭＲ・Ｔ１ボリュームデータと位置合わせされることになる。なお、位置合わせ機能１１Ｃは、複数のＣＴ・造影画像に基づくボリュームデータ（以下、「ＣＴ・造影ボリュームデータ」という。）と、複数のＭＲ・Ｔ１画像との位置合わせを行っても良いし、ＣＴ・造影ボリュームデータと、ＭＲ・Ｔ１ボリュームデータとの位置合わせを行っても良い。
【００５９】
図３の説明に戻って、位置合わせ機能１１Ｃは、位置合わせ後の２個の医用画像をディスプレイ１４に表示させる（ステップＳＴ９）。
【００６０】
図９及び図１０は、医用画像処理装置１において、比較読影を行う際の２個の医用画像の表示例を示す図である。
【００６１】
図９は、比較読影を行う際の並列表示される、患者ＩＤ及び撮像部位が同一で撮像日時の異なるＣＴ・造影画像とＭＲ・Ｔ１画像とを示す。図１０は、比較読影を行う際に重畳表示される、患者ＩＤ及び撮像部位が同一で撮像日時の異なるＣＴ・造影画像とＭＲ・Ｔ１画像とを示す。このように、高い位置合わせ精度により位置合わせが行われた医用画像を表示することにより、読影者の比較読影の効率及び正確性が向上する。
【００６２】
また、図８（Ｂ）に示す場合、即ち、画像種「ＣＴ・造影」に複数のＣＴ・造影画像が存在し、画像種「ＭＲ・Ｔ１」に複数のＭＲ・Ｔ１画像が存在する場合、位置合わせ機能１１Ｃにより、複数のＣＴ・造影画像とＭＲ・Ｔ１ボリュームデータとの位置合わせが行われることが好適である。その場合、位置合わせ機能１１Ｃは、位置合わせ後、複数のＣＴ・造影画像から選択されたＣＴ・造影画像と、ＭＲ・Ｔ１ボリュームデータに基づく、選択画像とほぼ同一断面のＭＰＲ画像とを並列又は重畳表示する。なお、位置合わせ機能１１Ｃにより、ＣＴ・造影ボリュームデータと複数のＭＲ・Ｔ１画像との位置合わせ、又は、ＣＴ・造影ボリュームデータとＭＲ・Ｔ１ボリュームデータとの位置合わせが行われても良いことは言うまでもない。
【００６３】
以上のように、医用画像処理装置１によれば、図５（Ａ）（又は図５（Ｂ））に示す４（ｍ＝４）個の画像種に関する図７に示す４（ｒ＝４）個の組み合わせから、位置合わせ精度が高い組み合わせを効率的に選択できる。また、医用画像処理装置１によれば、図９及び図１０に示すように、高い位置合わせ精度により位置合わせが行われた２個の医用画像を表示することにより、読影者の比較読影の効率及び正確性を向上させることができる。
【００６４】
（第１の変形例）
記憶回路１２に予め記憶される対応表は、図４に示す対応表に限定されるものではない。例えば、取得機能１１Ａは、入力回路１３を介した読影者等の操作者からのフィードバックにより、対応表の位置合わせ精度を更新しても良い。その場合、各組み合わせに対応する位置合わせ精度は、病院等の医療機関ごとに更新されても良いし、操作者ごとに更新されていても良い。
【００６５】
図１１は、医用画像処理装置１において、図４に示す対応表の第１変形例を示す図である。
【００６６】
図１１に示すように、画像種「ＣＴ・造影」及び画像種「ＭＲ・ＤＷＩ」の組み合わせに対応する位置合わせ精度「８０」が「９５」に更新されている。これにより、画像種「ＣＴ・造影」及び画像種「ＭＲ・ＤＷＩ」の組み合わせに対応する位置合わせ精度の順位が１つ上がることになる。
【００６７】
医用画像処理装置１の第１変形例によれば、前述の医用画像処理装置１の効果に加え、対応表の位置合わせ精度の更新により、現実の位置合わせ精度の変化に柔軟に対応できる。
【００６８】
（第２の変形例）
記憶回路１２に予め記憶される対応表は、図４に示す対応表に限定されるものではない。例えば、対応表において、画像種の撮像条件は、Ｔ１、Ｔ２、及びＤＷＩの他、二次的な種別を含んでも良い。例えば、撮像条件は、ｃＤＷＩ（Computed DWI）等を含む。ｃＤＷＩによって生成される画像は、計算拡散強調画像と呼ばれ、２つの異なるｂ値の２画像を解析処理することで、より高いｂ値の画像として推定されたものである。
【００６９】
図１２は、医用画像処理装置１において、図４に示す対応表の第２変形例を示す図である。
【００７０】
図１２に示すように、画像種「ＣＴ・造影」及び画像種「ＭＲ・ｃＤＷＩ（ｂ＝５００）」の組み合わせに、位置合わせ精度「９５」が対応付けされる。なお、ｃＤＷＩの複数のｂ値にそれぞれ位置合わせ精度が対応付けされても良い。また、医用画像処理装置１によっては、ｃＤＷＩ画像の生成できない場合がある。その場合は、選択機能１１Ｂは、撮像条件「ｃＤＷＩ」を含まない画像種の組み合わせを選択すれば良い。
【００７１】
医用画像処理装置１の第２変形例によれば、前述の医用画像処理装置１の効果に加え、対応表の撮像条件を細分化することで組み合わせの選択の精度が向上する。
【００７２】
（第３の変形例）
記憶回路１２に予め記憶される対応表は、図４に示す対応表に限定されるものではない。例えば、ＤＩＣＯＭ情報によって医用画像を分類可能なパラメータである患者の性別及び年齢等の患者の属性に応じた複数の対応表が使用されても良い。
【００７３】
図１３は、医用画像処理装置１において、図４に示す対応表の第３変形例を示す図である。
【００７４】
図１３は、性別かつ年齢幅ごとに４個の対応表を示す。上段の左右２個の対応表は、男性患者に関するものである。下段の左右２個の対応表は、女性患者に関するものである。また、左側の上下２個の対応表は、年齢幅２１〜３０歳の患者に関するものである。右側の上下２個の対応表は、年齢幅３１〜６０歳の患者に関するものである。
【００７５】
そして、取得機能１１Ａは、４個の対応表の中から、所定の患者の属性に応じた対応表を選択する。取得機能１１Ａは、選択された対応表から、ｍ個の画像種に関するｎ通りの組み合わせにそれぞれ対応するｎ個の位置合わせ精度を取得する。
【００７６】
医用画像処理装置１の第３変形例によれば、前述の医用画像処理装置１の効果に加え、患者の属性に従った対応表を使用することで組み合わせの選択の精度が向上する。
【００７７】
（第４の変形例）
記憶回路１２に予め記憶される対応表は、図４に示す対応表に限定されるものではない。例えば、対応表において、撮像条件は、「造影」及び「Ｔ１」等の撮像方法の他に、ＤＩＣＯＭ情報によって医用画像を分類可能なパラメータである、ＣＴにおける線量（管電流）等のＸ線条件を含んでも良い。撮像方法は、撮像プロトコルとも呼ばれる。
【００７８】
図１４は、医用画像処理装置１において、図４に示す対応表の第４変形例を示す図である。
【００７９】
図１４に示すように、モダリティ種「ＣＴ」及び撮像方法「造影」について、Ｘ線条件としての３個の管電流「２００［ｍＡ］」、「１００［ｍＡ］」、及び「５０［ｍＡ］」が設定される。一般的に、線量が高い画像ほど、他の医用画像との位置合わせ精度が高い。
【００８０】
そして、取得機能１１Ａは、対応表から、ｍ個の画像種に関するｎ通りの組み合わせにそれぞれ対応するｎ個の位置合わせ精度を取得する。例えば、取得機能１１Ａは、対応表から、画像種「ＣＴ・造影・２００ｍＡ」及び画像種「ＭＲ・Ｔ１」の組み合わせに対応する位置合わせ精度等を取得する。
【００８１】
医用画像処理装置１の第４変形例によれば、前述の医用画像処理装置１の効果に加え、対応表の撮像条件を撮像方法及びＸ線条件に細分化することで組み合わせの選択の精度が向上する。
【００８２】
以上述べた少なくともひとつの実施形態の医用画像処理装置、医用画像処理方法、及び医用画像処理プログラムによれば、複数通りの画像種の組み合わせから任意の組み合わせを効率的に選択できる。
【００８３】
以上、本発明のいくつかの実施形態を説明したが、これらの実施形態は、例として提示したものであり発明の範囲を限定することは意図していない。これら新規な実施形態は、その他の様々な形態で実施されることが可能であり、発明の要旨を逸脱しない範囲で種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００８４】
１…医用画像処理装置
１１…処理回路
１２…記憶回路
１３…入力回路
１４…ディスプレイ
１１Ａ…取得機能
１１Ｂ…選択機能
１１Ｃ…位置合わせ機能
【図１】
2018164533.tif 000003
【図２】
2018164533.tif 000004
【図３】
2018164533.tif 000005
【図４】
2018164533.tif 000006
【図５】
2018164533.tif 000007
【図６】
2018164533.tif 000008
【図７】
2018164533.tif 000009
【図８】
2018164533.tif 000010
【図９】
2018164533.tif 000011
【図１０】
2018164533.tif 000012
【図１１】
2018164533.tif 000013
【図１２】
2018164533.tif 000014
【図１３】
2018164533.tif 000015
【図１４】
2018164533.tif 000016